(57)【要約】【課題】ゼロシール及び器具シールの両機能を有し、かつ約37mmまでの直径を有する広範囲の器具に適合できる手術用アクセス装置を提供する。【解決手段】本発明の手術用アクセス装置は、体壁とのシールを形成しかつ体腔内へのアクセスチャネルを構成する単一弁を有している。弁は、器具が存在しない場合にはゼロシールを形成し、かつ約37mmまでの直径を有する器具が存在する場合には器具シールを形成する。弁にはゲル材料を設け、アクセスチャネルには、鋭い手術器具の挿入及び引抜き時に創傷の保護を行う保護スリーブを設けることができる。弁は更にキャップリングを有し、該キャップリングは、ゲル材料に挿入されるか、モールド成形される。保護スリーブは、キャップリングの内径部の周囲に接合されるか、モールド成形される。保護スリーブは単一管状部材として構成するか、複数の軸線方向スリットを備えかつ軸線方向に延びる複数のスリーブ部材で構成できる。【選択図】図１
2011092755.tif 000002
【特許請求の範囲】
【請求項１】
患者の切開部に対する配置に適合させる手術用アクセス装置であって、約３７ｍｍまでの直径を有する手術器具をアクセス装置を通して挿入しかつ手術器具とのシーリング関係を維持する手術用アクセス装置において、
ゲル材料およびアクセスチャネルを備えた弁構造を有し、
アクセスチャネルは、患者の切開部に連通するように延びている保護スリーブを備えており、
ゲル材料はエラストマを含むことを特徴とする手術用アクセス装置。
【請求項２】
前記エラストマはシリコーンを含むことを特徴とする請求項１記載の手術用アクセス装置。
【請求項３】
前記エラストマはウレタンを含むことを特徴とする請求項１記載の手術用アクセス装置。
【請求項４】
ウレタンにより発泡ゲルを形成する発泡剤を更に有することを特徴とする請求項３記載の手術用アクセス装置。
【請求項５】
前記ゲル材料は、ウレタン、ポリ塩化ビニル、イソプレン、Kraton(R)、オイルおよび発泡剤の少なくとも１つを含むことを特徴とする請求項１記載の手術用アクセス装置。
【請求項６】
前記エラストマはベースおよびオイルを含み、オイルは、ベースによりエラストマのオイル混合物を形成することを特徴とする請求項１記載の手術用アクセス装置。
【請求項７】
前記オイルは、植物油、石油およびシリコーンオイルの少なくとも１つを含むことを特徴とする請求項６記載の手術用アクセス装置。
【請求項８】
前記弁構造は、ゲル材料に挿入されるか、ゲル材料にモールド成形されることを特徴とする請求項１記載の手術用アクセス装置。
【請求項９】
前記保護スリーブは、キャップリングの内径部の周囲に接合されるか、モールド成形されることを特徴とする請求項８記載の手術用アクセス装置。
【請求項１０】
前記保護スリーブは、器具の挿入時および引抜き時に創傷の保護を行うことを特徴とする請求項９記載の手術用アクセス装置。
【請求項１１】
弁構造の周囲に配置される、中空空間を形成する少なくとも１つの支持リングと、
前記中空空間内に作動可能に配置される開創器とを更に有することを特徴とする請求項１記載の手術用アクセス装置。
【請求項１２】
前記開創器は、内方リングと、外方リングと、これらの内方リングと外方リングとを連結する可撓性スリーブとを有することを特徴とする請求項１１記載の手術用アクセス装置。
【請求項１３】
前記保護スリーブは単一管状部材であることを特徴とする請求項９記載の手術用アクセス装置。
【請求項１４】
前記保護スリーブは、複数の軸線方向スリットを備えかつ軸線方向に延びている複数のスリーブ部材を有していることを特徴とする請求項９記載の手術用アクセス装置。
【請求項１５】
前記保護スリーブおよびキャップリングは同じ材料からなることを特徴とする請求項９記載の手術用アクセス装置。
【請求項１６】
前記保護スリーブおよびキャップリングは異なる材料からなることを特徴とする請求項９記載の手術用アクセス装置。
【請求項１７】
手術用アクセス装置であって、該器具を通って患者の体壁の切開部内に延びる器具とのシーリング関係を形成する手術用アクセス装置において、
切開部の周囲の体壁とのシーリング関係をなして切開部に対して配置されかつ患者の切開部に連通するように延びる弁構造と、
該弁構造に含まれかつ体壁の切開部に対して配置される弁とを有し、
該弁は、弁構造を通って延びる器具が存在しない第一状態と、弁構造を通って延びる器具が存在する第二状態とを有し、
第一状態にある弁は、弁構造を通って延びる器具が存在しないときにゼロシールを形成し、
第二状態にある弁は、弁構造を通って延びる器具が存在するときに器具とのシールを形成することを特徴とする手術用アクセス装置。
【請求項１８】
前記弁構造は更に、弁に挿入されまたはモールド成形されたキャップリングを有していることを特徴とする請求項１７記載の手術用アクセス装置。
【請求項１９】
前記弁構造は更に、キャップリングの内径部の周囲に接合されまたはモールド成形された保護スリーブを有していることを特徴とする請求項１８記載の手術用アクセス装置。
【請求項２０】
前記保護スリーブは、器具の挿入時および引抜き時に創傷の保護を行うことを特徴とする請求項１９記載の手術用アクセス装置。
【請求項２１】
弁構造の周囲に配置される、中空空間を形成する少なくとも１つの支持リングと、
前記中空空間内に作動可能に配置される開創器とを更に有することを特徴とする請求項１８記載の手術用アクセス装置。
【請求項２２】
前記開創器は、内方リングと、外方リングと、これらの内方リングと外方リングとを連結する可撓性スリーブとを有することを特徴とする請求項２１記載の手術用アクセス装置。
【請求項２３】
前記保護スリーブは単一管状部材であることを特徴とする請求項１９記載の手術用アクセス装置。
【請求項２４】
前記保護スリーブは、複数の軸線方向スリットを備えかつ軸線方向に延びている複数のスリーブ部材を有していることを特徴とする請求項１９記載の手術用アクセス装置。
【請求項２５】
細長形状を有する弁構造と、
弁構造とともに、手術器具を受入れることができるサイズを有しかつ構成されたワーキングチャネルを形成する少なくとも１つの壁と、
ワーキングチャネル内に配置されるゲルであって、ワーキングチャネル内に配置される約３７ｍｍまでの直径をもつ任意の器具とのシールを形成できるゲルとを有することを特徴とする医療用アクセス装置。
【請求項２６】
前記弁構造は、ゲルキャップおよび腹壁ベースを有していることを特徴とする請求項２５記載の医療用アクセス装置。
【請求項２７】
前記ゲルキャップは更に、ゲルパッドと、周囲キャップリングと、キャップリングの内径部の周囲に接合されまたはモールド成形された保護スリーブとを有していることを特徴とする請求項２６記載の医療用アクセス装置。
【請求項２８】
前記保護スリーブは単一管状部材であることを特徴とする請求項２７記載の医療用アクセス装置。
【請求項２９】
前記保護スリーブは、複数の軸線方向スリットを備えかつ軸線方向に延びている複数のスリーブを有していることを特徴とする請求項２７記載の医療用アクセス装置。
【請求項３０】
前記キャップリングは、腹壁ベースとのシーリング関係を形成するための、内周部の環状空隙を有していることを特徴とする請求項２７記載の医療用アクセス装置。
【請求項３１】
前記腹壁ベースは、開創器の内方リングを固定するための、前記ベースの内径部に沿う丸められた端面を有していることを特徴とする請求項３０記載の医療用アクセス装置。
【請求項３２】
前記腹壁ベースは、キャップとのシールを形成しまたはキャップからベースを解放するための、ベースの内径部に沿う複数のトグルを有していることを特徴とする請求項３０記載の医療用アクセス装置。
【請求項３３】
前記腹壁ベースは、キャップとのシールを形成しまたはキャップからベースを解放するための、ベースの内径部に沿う複数のラッチを有していることを特徴とする請求項３０記載の医療用アクセス装置。
【請求項３４】
前記腹壁ベースは、キャップとのシールを形成しまたはキャップからベースを解放するための、ベースの内径部に沿う係合手段を有していることを特徴とする請求項３０記載の医療用アクセス装置。
【請求項３５】
前記腹壁ベースは、対応キャップリングに嵌合するための、ベースの内径部に沿う隆起壁を有していることを特徴とする請求項３０記載の医療用アクセス装置。
【発明の詳細な説明】
【技術分野】
【０００１】
本願は、「手術器具アクセス装置（Surgical Instrument Access Device）」の名称に係る２００３年９月１７日付米国非仮特許出願第１０／６６６，５７９号の優先権を主張する。尚、この出願の全部を本願に援用する。
本発明は、広くは、体壁を横切って体腔内へ手術器具により密封アクセスすることを容易にする装置に関する。
【背景技術】
【０００２】
幾つかの手術領域には、体腔すなわち空間をシールできる機構すなわち装置を用いて、ガイドワイヤ、内視鏡およびステープル等の種々のサイズの手術器具を導入できるようにする必要がある。これらの手術領域の一般的なものとして、腹腔内の手術部位に到達するように、腹壁を通して挿入される手術器具に頼る腹腔鏡手術がある。体腔内の手術部位の周囲の空間を増大させるため、一般にガスを注入して腹腔を膨張させかつ腹壁を持上げる。腹腔のこの加圧は、気腹術と呼ばれている。この場合には、器具が存在する場合にも気腹を維持する必要性から、体腔すなわち空間をシールする必要がある。
【０００３】
腹腔鏡手術で器具をアクセスさせるのに、一般に、トロカールが使用されている。これらのトロカールは、器具が存在しないときにガスが逃散することを防止するゼロシールを形成する精巧なシール構造と、器具が存在するときにガスの逃散を防止する器具シールとを有している。残念なことに、器具シールは、狭い範囲の器具直径に適合できるに過ぎない。より広い範囲の器具直径が必要な場合には、多数のシール対を設けなくてはならなかった。
【先行技術文献】
【特許文献】
【０００４】
【特許文献１】米国特許出願第１０／３８１，２２０号明細書（現在係属中、２００３年３月２０日出願、名称「手術用アクセス装置および方法（Surgical Access Apparatus and Method）」）
【特許文献２】国際特許出願ＰＣＴ／ＵＳ０３／１７３８９号明細書（現在係属中、２００３年６月３日出願、名称「開創器（Wound Retractor）」）
【発明の概要】
【発明が解決しようとする課題】
【０００５】
手術ステープル等の幾つかの器具および約３７ｍｍまでの直径を有する器具は、トロカールによるアクセスには大き過ぎる。また、現存のトロカールシールは、一般に２つの弁、すなわち１つは器具が存在する場合に器具シールを形成するための弁、他は器具が存在しない場合にゼロシールを形成するための弁を必要とする。従って、当業界では、ゼロシールおよび器具シールの両機能を有し、かつ約３７ｍｍまでの直径を有する広範囲の器具に適合できる手術用アクセス装置が要望されている。
【課題を解決するための手段】
【０００６】
従来技術の欠陥は、シール装置を備えた本発明により解決される。一実施形態では、装置は、例えばKRATON(R)のような熱可塑性ベースおよびオイルを含むゲルで形成された弁構造を有している。得られるエラストマは、優れた引裂き強度、高伸び、非常に小さいデュロメータ硬度すなわち硬度、および生体適合性を有している。アクセス装置は、ゼロシールおよび器具シールの両機能を呈することができる。また、アクセス装置は、約３７ｍｍまでの直径を有する全範囲の器具に適合できる。他の実施形態では、単一のアクセス装置が、同時に、より小さい直径をもつ幾つかの器具に適合できる。
【０００７】
引裂き強度およびシーリング能力の両者は、シース内にゲルを封入するか、弁構造に周囲補強体を設けることにより増強される。潤滑性、外観、創傷治療および／または保護、抗がん保護および抗菌保護等を向上させるため、添加剤をゲル上またはゲル中に添加できる。アクセス装置の化学的、薬学的または物理的特性を変えるため、他の化学薬品、配合物、薬剤または機械的器具をもゲル材料中に混合または埋入することができる。
【図面の簡単な説明】
【０００８】
【図１】手術台上で仰向けに寝ている患者の腹がガス注入されておりかつトロカールおよび本発明のアクセス装置により器具アクセスが行われているところを示すものである。
【図２】手術時に腹壁の外部に配置されたアクセス装置を示す拡大側面図である。
【図３】図２の３−３線方向から見た平面図である。
【図４】ゲルキャップと、ベースと、開創器とを有する他の実施形態を示す分解斜視図である。
【図５】本発明のアクセス装置のゲルキャップを示す平面図である。
【図６】ゲルキャップと、ベースと、開創器と、ゲルキャップのキャップリングの内径部の周囲に形成された保護スリーブとを有する本発明のアクセス装置を示す断面図である。
【図７】本発明のアクセス装置のキャップリングの内径部の周囲に形成された保護スリーブを示す３次元図である。
【図８】本発明の他の実施形態によるアクセス装置のキャップリングの内径部の周囲に形成された保護スリーブを示す３次元図である。
【図９】ゲルキャップと、ベースと、開創器と、ゲルキャップのキャップリングの内径部の周囲に形成された保護スリーブとを有する本発明の他の実施形態によるアクセス装置を示す断面図である。
【図１０】ゲルキャップと、ベースと、開創器（図示せず）と、ゲルキャップのキャップリングの内径部の周囲に形成された保護スリーブとを有する本発明の他の実施形態によるアクセス装置を示す断面図である。
【図１１】内方リングと、外方リングと、可撓性スリーブとを有する本発明のアクセス装置の開創器を示す断面図および３次元図である。
【図１２】テンプレートを使用しているところを示す平面図である。
【図１３】本発明の開創器の内方リングを配置しかつ可撓性スリーブを固定するところを示す縦断面図である。
【発明を実施するための形態】
【０００９】
本発明の上記および他の特徴および長所は、好ましい実施形態の説明および関連添付図面を参照することにより明らかになるであろう。
図１には、患者の全身が参照番号１０で示されている。患者１０は手術台１５上で仰向け状態にあるところが示されており、この状態で、腹壁２５を通して行われる器具アクセスを用いて、腹腔２０内の手術が行われる。一般に腹腔鏡手術と呼ばれているこの手術形式では、グラスパ（把握器）４０および内視鏡４５等の器具を腹壁に通して最小侵襲アクセスを行うのに、一般にトロカール３０、３５が使用される。
【００１０】
本明細書の開示は好ましい腹腔鏡手術に特に焦点を当てて説明するが、腹腔鏡手術は手術形式の単なる例示であり、手術は、体壁を通る最小侵襲アクセスにより体腔内で行うことができることに留意されたい。
上記概説にもかかわらず、腹腔鏡手術に関しては、３７ｍｍまでの直径をもつ器具を、同じアクセス装置を用いて、腹壁２５を通して腹腔２０内に挿入できることがしばしば望まれることに留意することが重要である。器具のこの挿入により、外科医は、アクセス装置を交換したり多数のアクセス装置を使用する必要なくして、種々の解剖学的構造要素への直接的アクセスを行うことが可能になる。
【００１１】
広範囲の器具に適合できるようにするため、一般に、腹壁２５には小さい切開部５０が形成される。約３７ｍｍまでの直径をもつ広範囲の器具の挿入を更に容易に行うために、本発明のアクセス装置５５が提供される。
特に腹腔鏡手術の場合には、腹壁２５を持上げて腹腔２０内の作業空間の体積を増大させるため、二酸化炭素のようなガスを腹腔２０内に注入するのが有利である。一般に気腹術と呼ばれているこの注入圧力の維持は、アクセスが、例えばトロカール３０、３５並びにアクセス装置５５を腹壁２５に通すことが望まれる場合に特に困難である。このため、グラスパ４０および内視鏡４５等の器具が存在する場合および存在しない場合の両方におけるシーリング特性を有するこのようなアクセス装置を提供することに大きな努力が払われてきた。
【００１２】
気腹の維持を望まない場合には、トロカール３０、３５またはアクセス装置５５を用いなくてもよい。外科医は単に腹壁２５に切開部を形成し、該切開部を通して直接的に器具を挿入すればよい。しかしながら、適当な弁またはシールを用いなければ、注入ガスは切開部を通って逃散してしまうであろう。これは、３７ｍｍまでの直径をもつ広範囲の器具を受入れるために充分に大きくしなければならない切開部５０の場合には特に問題である。従って、アクセス装置５５の主目的は、切開部５０内にアクセスチャネルすなわちワーキングチャネル６０を形成すること、および気腹を維持するためにワーキングチャネル６０を横切って弁または他のシーリング構造を設けることにある。
【００１３】
図２はアクセス装置５５の一実施形態を示す拡大図であり、ここには、腹壁２５および切開部５０も示されている。この簡単な形態では、アクセス装置５５はパッド６５の全体的形状を有し、これは、アクセス装置５５が全体的に平らで、参照番号７０で示すような平面に配置されることを意味するものである。一般に、パッド６５の実質的な表面領域を形成する１対の主面７２、７４はこの平面７０に平行である。パッド６５には、これを貫通して、１つの開口すなわちスリット７５が、ほぼ、平面７０に対して垂直な軸線８０に沿って形成されている。
【００１４】
手術時の態様で配置されたとき、パッド６５の開口７５は切開部５０に連通し、この場合には、切開部５０およびワーキングチャネル６０に一致している。開口７５および切開部５０は、パッド６５が、図２に示すように腹壁の外部に配置されるときに整合させることができる。腹壁２５に対するパッド６５の手術時の態様の配置は、パッド６５がその手術時の態様の配置に維持されることおよび切開部５０の周囲にシールを形成することを必要とする。これらの２つの機能は、図３の平面図に示すように、パッド６５と腹壁２５との間で切開部５０の周囲に配置される接着剤８５により達成される。
【００１５】
この接着剤８５が、図３に示すように連続リング９０として形成されるならば、パッド６５は、切開部５０の回りで周方向に配置され、パッド６５と腹壁２５との間にシールを形成する。図示の例では、パッド６５が手術時の態様で配置されたとき、パッド６５と腹壁２５との間からの注入ガスの逃散は、接着剤リング９０により防止される。
【００１６】
パッド６５の開口７５を通る注入ガスの逃散は、パッド６５を形成する材料のセルフシーリング特性により防止される。パッド６５のこの材料およびその非常に優れた特性について、以下に説明する。
接着剤リング９０の機能は、多くの異なる材料および形状を用いて種々の方法で達成できることは理解されよう。例えば、切開部５０上の所定位置にパッド６５を維持するのに、接着剤以外の多くの材料を使用できる。切開部５０の周囲のシールの形成は、接着剤以外の方法で達成することもできる。また、接着剤８５により形成された連続シールの形状は、必ずしも円形である必要はない。それどころか、切開部５０の回りに囲いを形成するのに充分な大きさを有するものであれば、あらゆる連続パターンが所望のシーリング関係を形成できる。
【００１７】
器具がパッド６５を通して挿入されるときは必ず、パッドの材料が器具の表面形状に倣って器具との間に器具シールを形成することに留意されたい。従って、器具の挿入から始まって器具の引抜きに終了する全手術期間中、パッド６５を通る注入ガスのいかなる損失もなく、或いは、腹腔２０内の気腹のいかなる損失も生じない。
【００１８】
本発明のアクセス装置５５を通して３７ｍｍまでの直径を有する器具を挿入できることは理解されよう。器具が存在しない場合には、開口すなわちスリット７５が単に閉じていてゼロシールを形成し、従ってアクセス装置５５を通る注入ガスの逃散が防止される。器具が開口すなわちスリット７５を通して挿入されると、アクセス装置５５の材料と器具の外面との間に器具シールが形成される。これにより、器具が存在する場合でも、アクセス装置５５を通る注入ガスの逃散が防止される。かくして、器具が所定位置に存在するか否かにかかわらず、腹腔２０内に注入ガス圧力を維持できる。これらのシール、すなわちゼロシールおよび腹シール（abdominal seal）は、直径３７ｍｍまでの全器具サイズ範囲に適合できる特性を有する単一弁構造として形成できることに留意されたい。
【００１９】
殆どの場合に、単一器具に適合させるのに、単一のアクセス開口７５が使用される。しかしながら、アクセス装置５５は、より小さい直径をもつ多くの器具にも適合できることは理解されよう。すなわち、パッド６５を通して所望の手術器具を単に挿入するだけで、付加開口を確立できる。このようにして、器具は、それ自体のアクセス孔を、主開口７５の近傍に創成できる。特に、尖った遠位端をもつ手術器具の場合には、該手術器具をパッド６５を通して押込むことができ、これにより、手術器具が遠位側に移動するときに、開口７５のような、当該手術器具自体のアクセス開口が形成される。手術器具自体により創成されるこの開口は、該手術器具が挿入されると自動的に器具シールを形成し、該器具が引抜かれるとゼロシールを形成する。
【００２０】
尖った遠位端をもたない手術器具の場合には、トロカール栓塞子等の２次器具を用いて新しいアクセス孔を形成できる。アクセス孔が形成されたならば、栓塞子を取外してアクセス孔を空け、手術器具を受入れることができる。最初にアクセス孔を形成しかつ最後にアクセス孔を通して手術器具を挿入するこの過程を通して、気腹を維持するためのゼロシールおよび器具シールが形成される。
【００２１】
（１）広範囲の直径に適合できる単一弁による器具シールおよびゼロシールの形成と、（２）器具自体を用いた器具開口の形成とに関連する長所から、本発明の概念が、一般に、アクセス装置５５を形成する材料に特に依存する構造により具現されることが理解されよう。好ましい実施形態では、パッド６５は、鉱物油と結合されたスチレン−エチレン−ブチレン−スチレン（Ｓ−Ｅ−Ｂ−Ｓ）構造をもつKRATON(R)トリブロックを含有するKRATON(R)／オイル混合物で形成される。
【００２２】
上記特許文献１（該特許文献１の全開示は本願に援用する）に開示されているように、殆ど無限数の結合、合金およびスチレン／ゴム比を配合でき、各配合物が本発明の特定実施形態に利益をもたらすことができることは理解されよう。これらの利益として、一般に、低デュロメータ硬度、高い伸びおよび優れた引裂き強度がある。
【００２３】
図４には本発明の他の実施形態が示されており、ここでは、前述の実施形態の構造要素と同じ構造要素は、同じ参照番号に添字「ａ」を付した参照番号で示されている。アクセス装置５５ａのこの分解図は、パッド６５ａだけでなく、補完構造も有しており、該補完構造は、パッド６５ａの位置を維持し、パッド６５ａと腹壁２５との間にシールを形成しかつ切開部５０を外科医が望む可変の大きさに拡大するためのものである。この場合、アクセス装置５５ａは、３つのコンポーネンツ、すなわちゲルキャップ（jell cap）１００と、ベース１０５と、上記特許文献２（該特許文献２の全開示は本願に援用する）に開示された開創器（wound retractor）とを有している。
【００２４】
図６を参照すると、ここには、アクセス装置５５ａの断面図が示されており、アクセス装置５５ａ内には、ゲルキャップ１００およびベース１０５が一体に取付けられかつ開創器１１０が保持されている。ゲルキャップ１００は更に、パッド６５ａに挿入されかつモールド成形できる周囲キャップリング１０２と、キャップ１００内に接合またはモールド成形できる保護シールドすなわちスリーブ１２５とを有している。シールドすなわちスリーブ１２５は、パッド６５ａの下でかつキャップリング１０２の内径の周囲に配置され、かつ切開部５０内に指向される。シールドすなわちスリーブ１２５は、器具がパッド６５ａを通って挿入されかつ引抜かれるときに、開創器１１０のシースを鋭い器具から保護すべく作動し、また、器具がパッド６５ａを通るように指向させるべく作動する。シールド１２５は単一管状部材として構成するか、図７および図８に示すように複数の軸線方向スロットを備えた軸線方向に延びる複数のスリーブ部材で構成することもできる。シールド１２５は、キャップリング１０２と同じ材料で構成してもよいし、異なる材料で構成してもよい。得られるゲルキャップ１００はベース１０５を備えたシールを形成し、これにより、パッド６５ａ、キャップリング１０２、ベース１０５および開創器１１０を通るワーキングチャネル６０ａを形成する。前述のように、このワーキングチャネル６０ａは、広範囲の器具直径に対してゼロシールおよび器具シールの両方を形成する、ゲルパッド６５ａにより形成された単一弁を有している。
【００２５】
図５を参照して、ゲルキャップ１００に関連する構造を説明する。図５の平面図から、この実施形態ゲルパッド６５ａは周囲キャップリング１０２内に同心状に配置されていることが理解されよう。保持タブ１１５が、キャップリング１０２から半径方向外方に延びるように設けられている。これらの保持タブ１１５は、より詳細に後述する方法で、ゲルキャップ１００とベース１０５とをシーリング係合させる。
【００２６】
好ましい実施形態はKRATON(R)／鉱物油ゲルを使用しているが、ゲルパッド６５ａは前掲の任意の材料で形成できる。このような実施形態では、キャップリング１０２は、KRATON(R)のみで有利に形成できる。これにより、パッド６５ａとリング１０２との間の優れた材料界面を維持しつつ、キャップリング１０２をゲルパッド６５ａより大きい剛性にすることができる。一般的な製造作業では、キャップリング１０２はゲルパッド６５ａの型内に予配置され、ゲルキャップ１００との一体構造として形成されるであろう。
【００２７】
図６の断面図には、キャップリング１０２の内周部に形成された環状空隙１２０が更に示されている。この空隙１２０は、より詳細に後述する方法でベース１０５とのシーリング関係を形成する上で特に有利である。図９および図１０は本発明の他の例示実施形態を示し、この実施形態では、アクセス装置５５が開創器１１０に使用できるように、ゲルキャップ１００および／またはベース１０５に変更がなされている。図６に戻ってこれを参照すると、ベース１０５には全体として真直な内面１３０を設けることができ、該内面１３０は丸められた端面１３５へと遠位側に延びかつ該端面１３５から環状リップ１４５に沿って外方に延びており、該環状リップ１４５は、リング１０２の内周部に形成された環状空隙１２０内に嵌合できるサイズおよび形状を有していることが理解されよう。
【００２８】
図９に示す本発明の他の実施形態にはベース１０５ｂが示されており、該ベース１０５ｂは全体として真直な内面１３０ｂを有している。該内面１３０ｂは、隆起壁１４０ｂに向かって遠位側に延び、かつ該隆起壁１４０ｂから環状リップ１４５ｂに沿って延びている。該環状リップ１４５ｂは、対応キャップリング１２０ｂの内周部に形成された環状空隙１２０ｂ内に嵌合されるサイズおよび形状を有している。図１０に示す本発明の更に別の実施形態にはベース１０５ｃが示されており、該ベース１０５ｃは、内径に沿う隆起壁１３０ｃと、環状リップ１４５ｃに沿って遠位側に延びている全体として真直な表面１４０ｃとを有し、環状リップ１４５ｃのサイズは、対応キャップリング１２０ｃの内周部に形成された環状空隙１２０ｃ内に嵌合できるサイズおよび形状を有している。
【００２９】
図１１を参照すると、ここには、本発明の増分的に調節できる開創器１１０が示されており、該開創器１１０は、手術切開部の縁部をシールしかつ患者の体腔に開口を形成すべく機能する。開創器１１０は、内方リング１５５と、外方リング１６０と、これらの内方リング１５５と外方リング１６０とを連結する可撓性スリーブ１６５とを有している。開創器１１０は、外科医が、開創器１１０により形成された開口を通して器具を挿入する通路を形成する。開創器１１０は、広範囲の切開部サイズに適合できるように増分的に調節可能である。開創器１１０は、内方リング１５５および外方リング１６０が切開部の内縁部および外縁部を拡大するように体腔内に配置される。切開部の外部に延びている可撓性スリーブ１６５の任意の部分は、創傷の側面を気密シールすべく、外方リング１６０上に容易に巻上げることができる。外方リング１６０は、使用者が容易にグリップして手で外方リング１６０を回転させて容易に可撓性スリーブ１６５を巻上げることができる表面を有している。外方リング１６０は中実に形成するか、単一または複数の管孔を設けて該管孔内にロッド（単一または複数）を配置し、使用者が外方リング１６０を巻上げるときに使用者に可聴信号で知らせるように構成できる。
【００３０】
本発明のアクセス装置の使用方法を、順次図１２および図１３を参照して説明する。図１２には、切開部５０の位置決めを容易にするためのテンプレート２００が配置された状態の患者１０の腹壁２５の平面図が示されている。切開部５０のサイズは、切開部の長さを示すテンプレート２００上の印２０５により決定される。切開部５０がライン２１０に沿って切断されたならば、テンプレート２００を取外すことができる。次に図１３に示すように、切開部５０に通して開創器１１０を取付けることができる。次に、図１３に示すように、開創器１１０が切開部５０を通して取付けられる。最初に、内方リング１５５が圧縮されかつ切開部５０を通して送りこまれる。腹壁２５の内面上で、内方リング１５５がその大きい直径に自由に拡大できる。切開部５０の外部に延びている可撓性スリーブ１６５の任意の部分が、外方リング１６０上に容易に巻上げられて、創傷の側面を気密シールする。理解されようが、スリーブ１６５が軸線方向に引っ張られると、スリーブ１６５は腹壁２５上に半径方向の力を発生し、この力により切開部５０が拡大される。軸線方向の引っ張り力を大きくするほど、切開部５０は大きくなる。
【００３１】
この方法で残っている最終段階は、ゲルキャップ１００をベース１０５に取付けることである。これは、図６、図９および図１０に示すように、ゲルキャップ１００の環状空隙１２０内にベース１０５の環状リップ１４５を捕捉することにより達成される。この係合は、保持タブ１１５を上方および外方に曲げることにより行われ、これにより、ベース１０５とゲルキャップ１００との間のシールが最終的に形成される。
以上、本発明を或る構造形態に関連して開示したが、これらの開示は、本発明の多くの異なる実施形態の単なる例示であることは理解されよう。従って、本発明の概念はここに開示した実施形態のみに限定されるものではなく、本発明の範囲は、特許請求の範囲の記載のみを参照して決定すべきである。
【符号の説明】
【００３２】
５５  アクセス装置
６０  アクセスチャネル
６５  パッド
７５  スリッド
８５  接着剤
１００  ゲルキャップ
１０２  キャップリング
１０５  ベース
１１０  開創器
１２５  保護シールド（スリーブ）
１４０ｂ  隆起壁
１４５ｂ  環状リップ
１５５  内方リング
１６０  外方リング
１６５  可撓性スリーブ
２００  テンプレート
【図１】
2011092755.tif 000003
【図２】
2011092755.tif 000004
【図３】
2011092755.tif 000005
【図４】
2011092755.tif 000006
【図５】
2011092755.tif 000007
【図６】
2011092755.tif 000008
【図７】
2011092755.tif 000009
【図８】
2011092755.tif 000010
【図９】
2011092755.tif 000011
【図１０】
2011092755.tif 000012
【図１１】
2011092755.tif 000013
【図１２】
2011092755.tif 000014
【図１３】
2011092755.tif 000015